(57)【要約】【課題】如何なる方向から作業した場合でも容易にカバーをケース本体に取り付けることができるケースを提供する。【解決手段】ケース１は、ケース本体２と、アッパカバー３とを備えている。ケース本体２は、周壁２０と、周壁２０の縁２０ａに囲まれた開口部２１とを有している。アッパカバー３の一端側には一対の突起４が設けられ、他端側にはロック部５が設けられている。ケース本体２の一端側には突起挿通孔６０を有する一対の突起係合部６が設けられ、他端側にはロック部５が係止するロック受け部７が設けられている。一対の突起係合部６は、その一部が周壁２０の縁２０ａよりも上方に突出している。このケース１においては、突起４がロック受け部７側から突起挿通孔６０に通され、突起４を中心にアッパカバー３が回動されることにより、ロック部５がロック受け部７に係止してアッパカバー３がケース本体２に取り付けられる。【選択図】図１
2014143877.tif 000002
【特許請求の範囲】
【請求項１】
周壁と、該周壁の縁に囲まれた開口部と、を有するケース本体と、
前記開口部を覆うように前記ケース本体に取り付けられるカバーと、
を備えたケースにおいて、
前記カバーの一端側に突起が設けられ、前記カバーの他端側にロック部が設けられ、
前記ケース本体の一端側に突起挿通孔を有する突起係合部が設けられ、前記ケース本体の他端側に前記ロック部が係止するロック受け部が設けられ、
前記突起係合部の少なくとも一部が前記周壁の縁よりも上方に突出しており、
前記突起が前記ロック受け部側から前記突起挿通孔に通され、前記突起を中心に前記カバーが回動されることにより前記ロック部が前記ロック受け部に係止して前記カバーが前記ケース本体に取り付けられる
ことを特徴とするケース。
【請求項２】
前記突起係合部は、その上端側に、前記周壁と平行に延びると共に前記周壁の縁よりも上方に位置する突き当て壁を有している
ことを特徴とする請求項１に記載のケース。
【請求項３】
前記突起が前記突起係合部の上端面に乗り上げた状態においては、前記ロック部が前記ロック受け部に係止不能である
ことを特徴とする請求項１又は請求項２に記載のケース。
【請求項４】
前記突起係合部の上端面が傾斜面で構成され、当該傾斜面に前記突起が乗り上げると、前記突起が前記傾斜面を摺動すると共に前記カバーが前記ケース本体に対してずれる
ことを特徴とする請求項１又は請求項２に記載のケース。
【請求項５】
前記突起係合部は、前記突起挿通孔の隣接箇所に、前記突起を前記突起挿通孔側に案内するガイド面を有している
ことを特徴とする請求項１ないし請求項４のうちいずれか１項に記載のケース。
【発明の詳細な説明】
【技術分野】
【０００１】
本発明は、ケース本体とカバーとを備えたケースに関するものである。
【背景技術】
【０００２】
図１０は、従来のケースを備えた電気接続箱の分解図である（特許文献１を参照。）。同図に示すケース４０１は、ケース本体４０２と、ケース本体４０２に取り付けられるカバー４０３と、を備えている。ケース本体４０２の一端側には一対の突起４０６が設けられ、他端側にはロック受け部４０７が設けられている。カバー４０３の一端側には突起挿通孔４４０を有する一対の突起係合部４０４が設けられ、他端側にはロック受け部４０７に係止するロック部４０５が設けられている。
【０００３】
カバー４０３は、一対の突起係合部４０４が一対の突起４０６に引っ掛けられて突起係合部４０４を中心に回動されることより、ロック部４０５がロック受け部４０７に係止してケース本体４０２に取り付けられる。
【先行技術文献】
【特許文献】
【０００４】
【特許文献１】特開２００１−６９６４４号公報
【発明の概要】
【発明が解決しようとする課題】
【０００５】
上述した従来のケース４０１においては、一対の突起係合部４０４を一対の突起４０６に引っ掛ける際、ケース本体４０２の一端側から作業ができれば一対の突起４０６を目視しながら一対の突起係合部４０４を引っ掛けることができるが、ケース本体４０２の他端側からしか作業ができない場合、一対の突起４０６が見えない状態で一対の突起係合部４０４を引っ掛けなければならず、作業が困難であるという問題があった。
【０００６】
また、上記ケース４０１が自動車のエンジンルーム等の狭くて目視し難い箇所に設置される場合、一対の突起係合部４０４が一対の突起４０６に引っ掛かっていない状態のままロック部４０５がロック受け部４０７に係止してしまう可能性があり、作業者が半嵌合状態に気がつかないことがあるという問題があった。
【０００７】
したがって、本発明は、如何なる方向から作業した場合でも容易にカバーをケース本体に取り付けることができるケースを提供することを第１の目的とし、如何なる方向から作業した場合でも容易にカバーをケース本体に取り付けることができ、かつ、突起が突起挿通孔に通されていない状態でロック部がロック受け部に係止することを防止できるケースを提供することを第２の目的とする。
【課題を解決するための手段】
【０００８】
請求項１に記載された発明は、第１の目的を達成するために、周壁と、該周壁の縁に囲まれた開口部と、を有するケース本体と、前記開口部を覆うように前記ケース本体に取り付けられるカバーと、を備えたケースにおいて、前記カバーの一端側に突起が設けられ、前記カバーの他端側にロック部が設けられ、前記ケース本体の一端側に突起挿通孔を有する突起係合部が設けられ、前記ケース本体の他端側に前記ロック部が係止するロック受け部が設けられ、前記突起係合部の少なくとも一部が前記周壁の縁よりも上方に突出しており、前記突起が前記ロック受け部側から前記突起挿通孔に通され、前記突起を中心に前記カバーが回動されることにより前記ロック部が前記ロック受け部に係止して前記カバーが前記ケース本体に取り付けられることを特徴とするケースである。
【０００９】
請求項２に記載された発明は、請求項１に記載された発明において、前記突起係合部は、その上端側に、前記周壁と平行に延びると共に前記周壁の縁よりも上方に位置する突き当て壁を有していることを特徴とするものである。
【００１０】
請求項３に記載された発明は、第２の目的を達成するために、請求項１又は請求項２に記載された発明において、前記突起が前記突起係合部の上端面に乗り上げた状態においては、前記ロック部が前記ロック受け部に係止不能であることを特徴とするものである。
【００１１】
請求項４に記載された発明は、第２の目的を達成するために、請求項１又は請求項２に記載された発明において、前記突起係合部の上端面が傾斜面で構成され、当該傾斜面に前記突起が乗り上げると、前記突起が前記傾斜面を摺動すると共に前記カバーが前記ケース本体に対してずれることを特徴とするものである。
【００１２】
請求項５に記載された発明は、請求項１ないし請求項４のうちいずれか１項に記載された発明において、前記突起係合部は、前記突起挿通孔の隣接箇所に、前記突起を前記突起挿通孔側に案内するガイド面を有していることを特徴とするものである。
【発明の効果】
【００１３】
請求項１に記載された発明によれば、突起係合部の少なくとも一部が周壁の縁よりも上方に突出しているので、突起を突起挿通孔に通す際、ケース本体の他端側からしか作業ができない場合でも、突起係合部の少なくとも一部を目視することができ、該突起係合部の少なくとも一部を目標にすることで、容易に突起を突起挿通孔に通すことができる。よって、如何なる方向から作業した場合でも容易にカバーをケース本体に取り付けることができるケースを提供することができる。
【００１４】
請求項２に記載された発明によれば、突起を突起挿通孔に通す際、突起を突き当て壁に突き当てて下方にずらすことにより、容易に通すことができる。
【００１５】
請求項３に記載された発明によれば、突起が突起係合部の上端面に乗り上げた状態においてはロック部がロック受け部に係止不能であるので、よって、突起が突起挿通孔に通されていない状態でロック部がロック受け部に係止することを防止できるケースを提供することができる。
【００１６】
請求項４に記載された発明によれば、突起係合部の上端面が傾斜面で構成され、当該傾斜面に突起が乗り上げると、突起が傾斜面を摺動すると共にカバーがケース本体に対してずれるので、突起が突起挿通孔に通されていない状態でロック部がロック受け部に係止することを防止できるケースを提供することができる。また、カバーがずれることで突起が突起挿通孔に通されていないことを検知することができる。
【００１７】
請求項５に記載された発明によれば、突起係合部は、突起挿通孔の隣接箇所に、突起を突起挿通孔側に案内するガイド面を有しているので、突起を突起挿通孔に容易に通すことができる。
【図面の簡単な説明】
【００１８】
【図１】本発明の第１の実施形態にかかるケースの分解図である。
【図２】図１に示されたケースの側面図である。
【図３】図１に示された突起係合部の拡大図である。
【図４】図１に示された突起が突起挿通孔に通される様子を示す断面図である。
【図５】図４に示されたアッパカバーがケース本体に取り付けられた状態を示す断面図である。
【図６】本発明の第２の実施形態にかかるケースの分解図である。
【図７】図６に示された突起係合部の拡大図である。
【図８】図６に示された突起が突起係合部の上端面に乗り上げた状態を示す図である。
【図９】本発明の第３の実施形態にかかるケースを示す図である。
【図１０】従来のケースを備えた電気接続箱の分解図である。
【発明を実施するための形態】
【００１９】
（第１の実施形態）
本発明の第１の実施形態にかかる「ケース」を図１〜５を参照して説明する。
【００２０】
図１，２に示すケース１は、自動車用電気接続箱に用いられるものであり、合成樹脂製のケース本体２と、合成樹脂製のアッパカバー３（請求項の「カバー」に相当する。）と、図示しないロアカバーと、を備えている。
【００２１】
ケース本体２は、長方形枠状の周壁２０と、周壁２０の上側の縁２０ａに囲まれた開口部２１と、周壁２０の下側の縁に囲まれた開口部２２と、を有している。
【００２２】
アッパカバー３は、開口部２１を覆うようにケース本体２に取り付けられる。アッパカバー３の長手方向一端側には、一対の突起４が設けられている。アッパカバー３の長手方向他端側には、ロック部５が設けられている。一対の突起４は、アッパカバー３の長手方向一端側から板状に突出していると共にロック部５と反対側に突出している。また、一対の突起４は、アッパカバー３の短手方向に間隔をあけて並べられている。
【００２３】
ケース本体２の長手方向一端側には、突起挿通孔６０を有する一対の突起係合部６が設けられている。ケース本体２の長手方向他端側には、上記ロック部５が係止するロック受け部７が設けられている。一対の突起係合部６は、ケース本体２の短手方向に間隔をあけて並べられており、その一部が周壁２０の縁２０ａよりも上方に突出している。
【００２４】
このようなケース１においては、図１，４，５に示すように突起４がロック受け部７側から突起挿通孔６０に通され、突起４を中心にアッパカバー３が回動されることにより、図２に示すようにロック部５がロック受け部７に係止してアッパカバー３がケース本体２に取り付けられる。
【００２５】
続いて、上記突起係合部６の詳細な構成を説明する。図１，３に示すように、各突起係合部６は、周壁２０からケース本体２の上方に向かってＬ字状に突出し、かつ、ケース本体２の短手方向に間隔をあけて設けられた一対の柱部６１と、一対の柱部６１の基端部同士を連結した連結部６４と、一対の柱部６１の先端部同士を連結した突き当て壁６２と、一対の柱部６１、連結部６４、突き当て壁６２にて構成された上記突起挿通孔６０と、突き当て壁６２と突起挿通孔６０との間に設けられ、突起４を突起挿通孔６０側に案内するガイド面６３と、を有している。
【００２６】
上記突き当て壁６２は、周壁２０と平行に延びると共に周壁２０の縁２０ａよりも上方に位置している。また、上記突起挿通孔６０は、周壁２０の縁２０ａよりも下方に位置している。このことから、突起４を突起挿通孔６０に通す際、ケース本体２の他端側からしか作業ができない場合でも、突き当て壁６２を目視することができ、この突き当て壁６２を目標にすることで、容易に突起４を突起挿通孔６０に通すことができる。また、突起４を突起挿通孔６０に通す際、突起４を突き当て壁６２に突き当てて下方にずらすことにより、容易に通すことができる。また、ケース本体２の他端側から作業する場合、突き当て壁６２の下方は見えないが、突き当て壁６２の下方には上記ガイド面６３が設けられているので、容易に突起４を突起挿通孔６０に通すことができる。
【００２７】
また、上記一対の柱部６１の表面は、突き当て壁６２に突き当てられた突起４を突起挿通孔６０側に案内するために、突き当て壁６２の表面と面一ではなく、段差を有している。また、一対の柱部６１の内側面には、突起４を突き当て壁６２側及び突起挿通孔６０側に案内するガイド面６１ｂが設けられている。
【００２８】
また、突起４が突起係合部６の上端面６ａに乗り上げた状態においては、ロック部５がロック受け部７に係止不能となっている。すなわち、突起４が突起係合部６の上端面６ａに乗り上げた状態でロック部５がロック受け部７に係止できない程度の高さに、突起係合部６の上端面６ａが位置付けられている。よって、突起４が突起挿通孔６０に通されていない状態でロック部５がロック受け部７に係止することを防止できる。なお、突起係合部６の上端面６ａとは、一対の柱部６１の上端面６１ａと突き当て壁６２の上端面６２ａである。
【００２９】
このように、ケース１によれば、如何なる方向から作業した場合でも容易にアッパカバー３をケース本体２に取り付けることができ、かつ、突起４が突起挿通孔６０に通されていない状態でロック部５がロック受け部７に係止することを防止できる。
【００３０】
（第２の実施形態）
本発明の第２の実施形態にかかる「ケース」を図６〜８を参照して説明する。また、図６〜８において、前述した第１の実施形態と同一構成部分には同一符号を付して説明を省略する。
【００３１】
図６に示すケース１０１は、ケース本体１０２と、アッパカバー３と、ロアカバーと、を備えている。ケース本体１０２は、突起係合部１０６の上端面１０６ａの形状が第１の実施形態で説明した突起係合部６の上端面６ａと異なっており、それ以外は第１の実施形態で説明したケース本体２と同一構成である。
【００３２】
図７に示すように、突起係合部１０６の上端面１０６ａは、傾斜面６１ｃ，６２ｂ，６１ｄ，６２ｃで構成されている。傾斜面６２ｂは、突き当て壁６２の上端面の一部であり、一方の柱部６１側に向かうにしたがって周壁２０の縁２０ａに近付く方向に傾斜している。傾斜面６１ｃは、一方の柱部６１の上端面であり、傾斜面６２ｂに連なり、該傾斜面６２ｂと同じ方向に傾斜している。傾斜面６２ｃは、突き当て壁６２の上端面の一部であり、他方の柱部６１側に向かうにしたがって周壁２０の縁２０ａに近付く方向に傾斜している。傾斜面６１ｄは、他方の柱部６１の上端面であり、傾斜面６２ｃに連なり、該傾斜面６２ｃと同じ方向に傾斜している。
【００３３】
このように、突起係合部１０６の上端面１０６ａは、傾斜面６２ｂと傾斜面６２ｃとが交わった角部を頂点とする山形に形成されている。このため、図８に示すように、突起係合部１０６の上端面１０６ａに突起４が乗り上げると、突起４が上端面１０６ａすなわち傾斜面６１ｃ，６２ｂ，６１ｄ，６２ｃを摺動すると共にアッパカバー３がケース本体１０２に対してずれる。よって、突起４が突起挿通孔６０に通されていない状態でロック部５がロック受け部７に係止することを防止できる。また、アッパカバー３がずれることで突起４が突起挿通孔６０に通されていないことを検知することができる。
【００３４】
（第３の実施形態）
本発明の第３の実施形態にかかる「ケース」を図９を参照して説明する。また、図９において、前述した第１，２の実施形態と同一構成部分には同一符号を付して説明を省略する。
【００３５】
図９に示すケース２０１は、ケース本体２０２と、アッパカバー３と、ロアカバーと、を備えている。ケース本体２０２は、突起係合部２０６の上端面２０６ａの形状が第２の実施形態で説明した突起係合部１０６の上端面１０６ａと異なっており、それ以外は第２の実施形態で説明したケース本体１０２と同一構成である。
【００３６】
突起係合部２０６の上端面２０６ａは、傾斜面６１ｃ，６１ｅ，６２ｄで構成されている。また、第２の実施形態で説明した突起係合部１０６の上端面１０６ａは、山形に形成されていたが、本実施形態の突起係合部２０６の上端面２０６ａは、全ての傾斜面６１ｃ，６１ｅ，６２ｄが同じ方向に傾斜している。このため、突起係合部２０６の上端面２０６ａに突起４が乗り上げると、突起４が上端面２０６ａすなわち傾斜面６１ｃ，６１ｅ，６２ｄを摺動すると共にアッパカバー３がケース本体２０２に対してずれる。よって、突起４が突起挿通孔６０に通されていない状態でロック部５がロック受け部７に係止することを防止できる。また、アッパカバー３がずれることで突起４が突起挿通孔６０に通されていないことを検知することができる。
【００３７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３８】
１，１０１，２０１  ケース
２，１０２，２０２  ケース本体
３  アッパカバー（カバー）
４  突起
５  ロック部
６，１０６，２０６  突起係合部
７  ロック受け部
２０  周壁
６０  突起挿通孔
【図１】
2014143877.tif 000003
【図２】
2014143877.tif 000004
【図３】
2014143877.tif 000005
【図４】
2014143877.tif 000006
【図５】
2014143877.tif 000007
【図６】
2014143877.tif 000008
【図７】
2014143877.tif 000009
【図８】
2014143877.tif 000010
【図９】
2014143877.tif 000011
【図１０】
2014143877.tif 000012